(57)【特許請求の範囲】
【請求項１】
機器本体に開閉回動自在に設けられている蓋体の蓋ロック装置であって、
前記蓋体の回動軸近傍における蓋体又は本体の内壁部に一側縁を回動支軸により回動自在に支持すると共に、蓋体の回動軸と平行に配置したロック板と、
前記ロック板の配置位置に対向する本体又は蓋体の内壁部に、当該内壁と一定の間隔をもって配置されたロックバネとを備え、
前記蓋体の閉蓋状態では、前記ロック板の先端部分をロックバネと内壁部との間に挿入配置するように構成し、
開蓋に際し、前記回動軸を中心とする蓋体の回動に連動して回動する前記回動支軸により、ロック板が支持された蓋体又は本体に対して当該ロック板が回動しながら移動することにより、そのロック板の先端部がロックバネに当接しながら摺動し、開蓋状態ではロックバネの付勢力によって蓋体が本体に対して一定の開蓋角度で保持されるように構成したことを特徴とする蓋ロック装置。
【請求項２】
ロック板及びロックバネに、それぞれ係合部を形成し、蓋体の回動によりそれぞれの係合部が対応する位置の角度で蓋体を開蓋状態に保持するよう構成したことを特徴とする請求項１記載の蓋ロック装置。
【請求項３】
本体に設けられたロックバネ、及び蓋体に取付けられているロック板それぞれの引掛部の位置を変えることにより、蓋体を任意の角度で回動支持して開蓋状態にできるよう構成したことを特徴とする請求項１記載の蓋ロック装置。
【発明の詳細な説明】
【０００１】
【発明の属する技術分野】
本発明は、コンパクトディスクプレーヤ等の小型音響機器で、ディスクを収納する機器本体に、回動自在に取付られてなる蓋体の開蓋時における蓋ロック装置に関するものである。
【０００２】
【従来の技術】
従来、蓋ロック装置は特開平２ー２３２８５３号に記載されたものが知られている。
図４は従来の蓋ロック装置の外観斜視図と要部を示すものである。図４において、ディスクを収納する機器本体８には、開閉蓋７が蓋支軸９により開閉自在に取付られている。本体８及び開閉蓋７の一側面に回動自在なリンク板１０a、１０bを有し、それぞれを回動軸１１にて連結し、開閉蓋７の開閉動作に伴い、適度な角度で回動し、開閉蓋７を開いた状態でロックするよう構成されている。
【０００３】
【発明が解決しようとする課題】
このような蓋ロック装置においては、近年のコンパクトディスクプレーヤ等音響機器の益々の小型薄型化への傾向により、同装置の小型、省スペース化が強く要求されている。
本発明は、このような従来の同装置の課題を解消するものであり、簡単な構成で、蓋体の開時のロック機構を構成でき、小型、省スペース化に貢献できる優れた蓋ロック装置を提供することを目的としてなされたものである。
【０００４】
【課題を解決するための手段】
この課題を解決するために本発明の蓋ロック装置は、機器本体に開閉回動自在に設けられている蓋体の蓋ロック装置であって、前記蓋体の回動軸近傍における蓋体又は本体の内壁部に一側縁を回動支軸により回動自在に支持すると共に、蓋体の回動軸と平行に配置したロック板と、前記ロック板の配置位置に対向する本体又は蓋体の内壁部に、当該内壁と一定の間隔をもって配置されたロックバネとを備え、前記蓋体の閉蓋状態では、前記ロック板の先端部分をロックバネと内壁部との間に挿入配置するように構成し、開蓋に際し、前記回動軸を中心とする蓋体の回動に連動して回動する前記回動支軸により、ロック板が支持された蓋体又は本体に対して当該ロック板が回動しながら移動することにより、そのロック板の先端部がロックバネに当接しながら摺動し、開蓋状態ではロックバネの付勢力によって蓋体が本体に対して一定の開蓋角度で保持されるように構成したものである。
【０００５】
これにより、開いた蓋体を適度な角度で支持する構造を省スペースにて得られる。
【０００６】
【発明の実施の形態】
本発明の第１の発明は、機器本体に開閉回動自在に設けられている蓋体の蓋ロック装置であって、前記蓋体の回動軸近傍における蓋体又は本体の内壁部に一側縁を回動支軸により回動自在に支持すると共に、蓋体の回動軸と平行に配置したロック板と、前記ロック板の配置位置に対向する本体又は蓋体の内壁部に、当該内壁と一定の間隔をもって配置されたロックバネとを備え、前記蓋体の閉蓋状態では、前記ロック板の先端部分をロックバネと内壁部との間に挿入配置するように構成し、開蓋に際し、前記回動軸を中心とする蓋体の回動に連動して回動する前記回動支軸により、ロック板が支持された蓋体又は本体に対して当該ロック板が回動しながら移動することにより、そのロック板の先端部がロックバネに当接しながら摺動し、開蓋状態ではロックバネの付勢力によって蓋体が本体に対して一定の開蓋角度で保持されるように構成したものである。
【０００７】
これにより、閉蓋状態ではロック板をロックバネと内壁部との間に挿入配置することができ、そのロック板とロックバネの作用により開蓋状態では蓋体を一定の角度で保持することができるという構造を、開蓋に際し、蓋体の回動軸を中心とする蓋体の回動に連動して回動する回動支軸によりロック板が支持された蓋体又は本体に対して当該ロック板が回動しながら移動できるという、極めて省スペースにて構成できるものである。
また、第２の発明は、ロック板及びロックバネに、それぞれ係合部を形成し、蓋体の回動によりそれぞれの係合部が対応する位置の角度で蓋体を開蓋状態に保持するよう構成したことにより、その蓋体の開蓋位置で確実に開蓋保持できるものである。
【０００８】
また、第３の発明は、本体に設けられたロックバネ、及び蓋体に取付けられているロック板それぞれの引掛部の位置を変えることにより、蓋体を任意の角度で回動支持して開蓋状態にできるよう構成した蓋体を任意の角度で回動支持できる作用を有するものである。
【０００９】
【実施例】
以下、本発明の実施例について、図１から図３を用いて説明するが、図１は本発明の第１の実施の形態における蓋ロック装置の要部を示す開蓋状態の斜視図、図２は同装置の動作状態を示す要部断面図、図３は同装置を備えてなる機器の外観斜視図である。
【００１０】
図において、機器本体８には、開閉蓋７が蓋支軸９により開閉回動自在に取付られている。前記蓋支軸９が設けられた側面近傍において、本体８の内壁部８ａの近傍には当該内壁部８ａと一定の間隔をもって配置されたロックバネ１が、開閉蓋７の内壁部７ａには固定アングル３がそれぞれ取付ビス６等により蓋支軸９に対して平行に取付固定されている。そして、前記固定アングル３には、一側縁が回動支軸５により回動自在に支持されたロック板２が装着され、開閉蓋７の回動に伴い共に回動動作するようになっており、このロック板２は前記本体８内壁部８ａとロックバネ１との間に対向して、閉蓋時には当該隙間に挿入できるように構成されている。
【００１１】
以上のように構成された蓋ロック装置について、以下その動作について説明する。
まず図２に実線で示す開閉蓋７の閉蓋状態では、ロック板２の先端部分がロックバネ１と本体８の内壁部８ａとの間に挿入配置されている。この状態から開閉蓋７の開蓋に際し、開閉蓋７が回動すると固定アングル３が共に動作し、固定アングル３に取付られているロック板２は、本体８とロックバネ１との間においてその先端部がロックバネ１に当接しながら摺動するように移動していくことになる。そして、開閉蓋７が図２に仮想線で示す開蓋状態、すなわち、ロックバネ１とロック板２のそれぞれ先端部に一体に設けられている引掛片４a、４bが対向する位置にまで回動動作した時に、ロックバネ１の弾性力により、前記ロック板２が係止されて、開閉蓋７が本体８に対して一定の開蓋角度で保持されるようになっている。図１はこの開蓋状態を示している。
【００１２】
以上のように本実施例によれば、閉蓋状態ではロック板をロックバネと内壁部との間に挿入配置することができ、そのロック板とロックバネの作用により開蓋状態では蓋体を一定の角度で保持することができるという構造を、収納スペースＡが極めて省スペースにて構成できるものである。
また、本体８に設けられたロックバネ１、及び開閉蓋７に取付けられているロック板２それぞれの引掛片４a、４bの位置を変えることにより、開閉蓋７を任意の角度で保持できることは言うまでもない。
【００１３】
なお、ロックバネ１を開閉蓋７の内壁部７ａに設け、固定アングル３とロック板２を本体８の内壁部８ａに設けても、前述と同様の効果を得ることができるものである。
【００１４】
【発明の効果】
以上のように本発明によれば、機器本体に開閉回動自在に設けられている蓋体の蓋ロック装置であって、前記蓋体の回動軸近傍における蓋体又は本体の内壁部に一側縁を回動支軸により回動自在に支持すると共に、蓋体の回動軸と平行に配置したロック板と、前記ロック板の配置位置に対向する本体又は蓋体の内壁部に、当該内壁と一定の間隔をもって配置されたロックバネとを備え、前記蓋体の閉蓋状態では、前記ロック板の先端部分をロックバネと内壁部との間に挿入配置するように構成し、開蓋に際し、前記回動軸を中心とする蓋体の回動に連動して回動する前記回動支軸により、ロック板が支持された蓋体又は本体に対して当該ロック板が回動しながら移動することにより、そのロック板の先端部がロックバネに当接しながら摺動し、開蓋状態ではロックバネの付勢力によって蓋体が本体に対して一定の開蓋角度で保持されるように構成したものである。
【００１５】
これにより、閉蓋状態ではロック板をロックバネと内壁部との間に挿入配置することができ、そのロック板とロックバネの作用により開蓋状態では蓋体を一定の角度で保持することができるという構造を、開蓋に際し、蓋体回動軸を中心とする蓋体の回動に連動して回動する回動支軸によりロック板が支持された蓋体又は本体に対して当該ロック板が回動しながら移動できるという、極めて省スペースにて構成できるものであり、機器の小型薄型化に有利な効果が得られる。
【図面の簡単な説明】
【図１】本発明の一実施例による蓋ロック装置の要部を示す斜視図
【図２】同装置の動作状態を示す要部断面図
【図３】同装置を備えてなる機器の外観斜視図
【図４】従来の蓋ロック装置を備えてなる機器の外観斜視図
【符号の説明】
１  ロックバネ
２  ロック板
３  固定アングル
４ａ，４ｂ  引掛片
５  回動支軸
６  取付ビス
７  開閉蓋
８  本体
９  蓋支軸
【図１】
0003653860.tif 000002
【図２】
0003653860.tif 000003
【図３】
0003653860.tif 000004
【図４】
0003653860.tif 000005